Podtech/llm-jp-corpus-v4-ja_patent huggingface dataset:
(57)【要約】      （修正有）【課題】  清潔・安全な鍼治療を行う為に、治療者の指の感覚を損はずに、治療中治療者の指が直接患者の皮膚又は治療中の鍼体に触れることのない構造を持った清潔・安全な治療鍼を得る。【解決手段】  鍼管２に、鍼管２の外径より太い内径を持ち考案された形状の柔軟で薄いプラスチックチュ−ブ４を装着する。使用に際しては、体の治療点に治療鍼を構成する鍼管２の一端を、一方の手の両指でプラスチックチューブ４外面を掴んで肌に対し直角に固定する。このとき切れ目５の入ったチューブの一端が花びらの様に肌面に広がって肌と指の直接接触を防ぐのに役立つ。【選択図】  図１
2006021009.tif 000002
【特許請求の範囲】
【請求項１】
鍼管に鍼管の外径より太い内径を持った柔軟で且つ薄いプラスチックチュ−ブを装着した鍼管を装備した清潔安全な治療鍼。
【請求項２】
引張弾性率が無延伸状態で５〜５０ｋｇｆ／ｍｍのプラスチック素材から厚さが１．５〜１０μ、内径が緘管の外径の１．０５〜４倍のチュ−ブを作成、これを装着した鍼管を装備した請求項１に記載の清潔・安全な治療鍼。
【請求項３】
プラスチックチュ−ブの一端が長さに直角な方向に対し、若干の傾斜角で裁断され、もう一方の端が０〜複数本の長さ方向に平行な切れ目を施した請求項１に記載の清潔・安全な治療鍼。
【発明の詳細な説明】
【技術分野】
【０００１】  この考案は鍼治療行為中治療者の指が直接治療鍼を構成する鍼体及び患者の皮膚に触れる事のない構造を持った清潔・安全な治療鍼に関するものである。
【技術背景】
【０００２】  従来鍼治療は鍼先を治療部位に正確に深く刺鍼する際、更に深部の治療行為を行う際、症状に対応した的確な鍼操作の点から、いずれかの指で、治療鍼を構成する鍼体及び患者の肌に触れ操作することが一般的に行われている。しかしこの様な治療操作は不衛生であることが指摘されている。しかし指が治療鍼を構成する鍼体及び患者の肌に触れる事なく、正確な鍼操作を実施する事の出来る清潔・安全な治療鍼は得られていない。
【発明の開示】
【発明が解決しようとする課題】
【０００３】  治療行為中、指が患者の皮膚及び治療鍼を構成する鍼体に触れる事無く、正確な鍼操作を実施する事ができる構造を持った清潔・安全な治療鍼を作る事にある。
【考案が解決するための手段】
【０００４】  治療者の指の感覚に悪い影響を与える事なく、指と患者の皮膚及び鍼体との直接の接触をなくする方法につき、種々検討を行ったが、限定された性質と厚みを持った、且つ鍼管外径より太い内径のプラスチックチュ−ブを鍼管に被覆装着する事により本発明を完成しした。本発明におけるプラスチックチュ−ブとは、無延伸状態で引張弾性率が５〜５０ｋｇｆ／ｍｍ２、好ましくは８〜２０ｋｇｆ／ｍｍ２のプラスチック素材を使用し、厚みが１〜８μ好ましくは１．５〜５μ、内径が鍼管の外径の１．０５〜４倍、好ましくは１．１〜３倍のプラスチックチュ−ブを作成する事により目的を達成する事を見出した。このフイルム表面の粗面状態としては、特に限定の必要はなく平滑な表面を持ったフイルム又小さな凹凸のついたエンボスフイルムいずれも良好な結果を得た。フイルムの素材としては、複数の樹脂成分のプラスチックが考えられるが、高圧、低圧、中低圧のポリエチレンフイルムの中より選択すのするのが好ましい。
本発明におけるプラスチックチュ−ブの形状としては、チュ−ブの一端がチュ−ブの長さの直角方向のに対し若干の傾斜角を持って裁断されており、又他端がチュ−ブの長さ方向に平行した切れ目を０〜数本付ける事により、チュ−ブの鍼管への装着が容易になり、更に指による多様な鍼操作に対応して、鍼と指との間の感触を損ねる事無く、鍼、及び患者の皮膚に直接触れる事なしに、治療出来る構造の鍼の製造が可能になった。鍼の一端の切り口の若干の傾斜角度とは特に限定の必要は無いが、４５度前後が最も好ましい。他端におけるチュ−ブに平行な切れ目の内容としては、鍼操作法の変化により好ましい条件下での操作を行うには、切れ目の数としては、０〜４本、長さとしては，１．５〜３ｃｍの間で選択する事ができる。チュ−ブの長さとしては、鍼の長さに応じ且つ切り目の有無により変化するのが基本となる。鍼体の０．８〜１．５倍の長さが必要であるが、０．８〜１．２倍の長さであるのが好ましい。
治療鍼の構造、チュ−ブを装着した治療鍼、治療時の使用状況の図面を示す。体の治療点に治療鍼を構成する鍼管の一端を、一方の手の両指でプラスチックチュ−ブ外面を掴んで肌に対し直角に固定す。このとき切り目の入ったチュ−ブの一端が花びらの様に肌面に広がって肌と指の直接の接触を防ぐのに役立つ。更に他の一方の手の指で鍼柄の頭を叩いて正確に刺鍼する。刺鍼後一方の両指でプラスチックチュ−ブ外面を掴みながら、他の一方の手の両指で鍼管を上に動かし鍼体とチュ−ブより切り離す。以後プラスチックチュ−ブを掴んでいる手の指を、及び他方の手の指を使用して、指が鍼に又患者の肌に直接触れる事なく操作して治療出来、目的を達する事が出来た。
【発明の効果】
【０００５】  鍼治療の過程で、手袋、指サック等装填、脱着、又操作過程での消毒剤等の使用等煩瑣の作業を行なう事なく本来の鍼操作のみで鍼治療を行う事が出来る。
【発明を実施するための最良の形態】
【０００６】  従来使用の治療鍼の主要構成状態を変更することなく、本発明に基づくプラスチッチュ−ブを鍼管に装着するのみで、従来の治療手順で操作することが出来る。
【図面の簡単な説明】
【０００７】
【図１】  治療鍼の概要図
【図２】  プラスチックチュ−ブ装着治療鍼の概要図
【図３】  治療鍼刺鍼時の概要図
【図４】  治療時鍼管を取り除いた時の概要図
【符号の説明】
【０００８】  １    鍼柄
２    鍼管
３    鍼体
４    プラスチックチュ−ブ
５    プラスチックチュ−ブに付した切り目
６    指先
【図１】
2006021009.tif 000003
【手続補正書】
【提出日】平成16年9月21日(2004.9.21)
【手続補正１】
【補正対象書類名】図面
【補正対象項目名】全図
【補正方法】変更
【補正の内容】
【図１】
2006021009.tif 000004
【図２】
2006021009.tif 000005
【図３】
2006021009.tif 000006
【図４】
2006021009.tif 000007
(57)【要約】【課題】傾斜した短いパイル布を設けた脱げにくいスリッパを提供する。【解決手段】スリッパ踏み面及び甲部内面側に、傾斜した短いパイル布のケバ立ち先部を、スリッパのつま先方向に向けて設ける。【選択図】  図１
2006021004.tif 000002
【特許請求の範囲】
【請求項１】
スリッパ踏み面及びスリッパ甲部内面側に、傾斜した短いパイル布のケバ立ち先部を、スリッパつま先方向に向け設けることを特徴とするスリッパ。
【発明の詳細な説明】
【発明の詳細な説明】
【０００１】  本発明は、用具や装置を用いたり取り付けたりすることをしないでできる脱げにくいスリッパに関するものである。
【技術背景】
【０００２】  従来、歩行時に履用するスリッパにおいて、足が後方に滑り脱げ易くなることを防ぐために踵部に後部覆いを立ち上げるように設ける。
又はスリッパ本体から踵又は足首にバンド等を引き掛け、足を固定する。
又はスリッパ甲部の内面側にスポンジ状等の弾性部材を設ける。
などのスリッパがあった。
【特許文献１】実登３０２１３１２号
【特許文献２】特開平９−３１３２０２号
【特許文献３】実登３００４９３５号
【発明の開示】
【発明が解決しようとする課題】
【０００３】  これらには次のような問題点があった。
（イ）無造作に履こうとすると踵部覆い部を踏みつぶして形が崩れ、脱げにくくするという目的を達しにくくなる。
（ロ）履こうとするとき又は脱ごうとするとき、片手又は両手を使う必要が生じて着脱の手数がかかり、又必然的に腰をかがめる必要が生じるなど不便である。
（ハ）スリッパ甲部の内面側に弾性部材を用いたものは、足の小さな小児等が履く場合や廊下等に車椅子用に設けたスロープの上り勾配などの歩行には、後方に滑り脱げ易くなることを防げない。
本発明はこれらの問題点を解決するためになされたものである。
【課題を解決するための手段】
【０００４】  スリッパの踏み面及びスリッパの甲部内面側に傾斜した短いパイル布のケバ立ち先部を、スリッパのつま先方向に向けて設けることを特徴とするスリッパ。
【発明の効果】
【０００５】  履用する場合は、普通のスリッパと同様に足を挿入すれば良く、脱ぐときも少しの注意を払うだけで脱ぐことが出来、いちいち手を用いまた腰をかがめることも不要である。
小児のように小さな足の場合も脱げにくく、殊に老齢者及び足に障害のある人も安全に履用出来る。
廊下等に車椅子用に設けたスロープの上り勾配などの歩行にも、後方に滑り脱げ易くなる傾向に対して極めて有効で、安心して履用歩行が出来る。
【発明を解決するための最良の形態】
【０００６】  以下、本発明の第一実施の形態について説明する。
スリッパ（１）の踏み面（２）に傾斜した短いパイル布（４）のケバ立ち先部をスリッパのつま先方向に向けて設ける。
本発明は以上のような構成で、これを使用するときは、普通のスリッパのように足（６）を挿入することにより、スリッパに設けた傾斜パイルのケバ立ち方向が、足裏の皮膚又は靴下の繊維に引っかかる効果を生じ、歩行時前進する或いは後退する時に脱げにくく、また廊下等に車椅子用に設けたスロープの上り勾配に向かって歩行するときも後ろ向きに脱げ易くなることも防げ、また余分な力を足に加える必要もなく楽で安全に歩行することが出来る。
【０００７】  以下、本発明の第二実施の形態について説明する。
スリッパ（１）の甲部（３）の内面に、第一実施の形態と同様に傾斜した短いパイル布（５）を設ける。
本発明は以上のような構成で、これを使用するときは、椅子等に腰掛け又は佇立時等の場合足をぶらつかせても容易には脱げ落ちにくくなり、老齢者や体に障害のある人も安心して履用することが出来る。
また第一実施の形態と第二実施の形態を同時に併せ使用することは、脱げにくくするためには更に有効である。
【図面の簡単な説明】
【０００８】
【図１】本発明の斜視図
【図２】本発明の断面図
【図３】本発明の第二実施の形態の斜視図
【図４】本発明の第二実施の形態の断面図
【符号の説明】
【０００９】  １  スリッパ
２  踏み面
３  甲部
４  傾斜した短いパイル布
５  傾斜した短いパイル布
６  足
【図１】
2006021004.tif 000003
【図２】
2006021004.tif 000004
【図３】
2006021004.tif 000005
【図４】
2006021004.tif 000006
(57)【要約】【課題】運動不足による筋力衰退を解消するための筋力強化台であり、また、不使用時にはインテリアとしても使用できる台を提供する。【解決手段】２に乗り、１にふくらはぎをあて、１を支点とし体を後ろに反ると大腿直筋（もも）・腹直筋（腹筋）・外腹斜筋（腹直筋の横）・大胸筋・胸鎖乳突筋（首の前部分の筋肉）に負荷がかかり、強化につなげる。また、３に乗り１によしかかることでアキレス腱伸ばしになる。不使用時は、４を上（または下）にすることで（サイド）テーブル・腰掛け・踏み台などに使用できる。【選択図】  図２
2006021008.tif 000002
【特許請求の範囲】
【請求項１】
この台によしかかるようにして立ち体を後ろに反ると、一度に大腿直筋、腹直筋、外腹斜筋、大胸筋、胸鎖乳突筋に負荷がかかり、筋力向上につながる。
【発明の詳細な説明】
【発明の詳細な説明】
【技術分野】
【０００１】本発明は、体力衰退を解決するために、大腿直筋、腹直筋、外腹斜筋、大胸筋、胸鎖乳突筋の部位の強化に役立てる台であり、不使用時には（サイド）テーブル・腰掛け・台のようにインテリアとして利用できる。
【背景技術】
【０００２】台によしかかるだけで大腿直筋、腹直筋、外腹斜筋、大胸筋、胸鎖乳突筋を強化できる器具はなかく、かつ健康器具以外の使用はできなかった。
【発明が解決しようとする課題】
【０００３】腰の筋力と腹筋の筋力のバランスが悪いために腰痛に陥る人にとっては腹筋の強化その解消に役立つ。
また、首（胸鎖乳突筋）の筋力を向上させておくことによって、転倒時後頭部を打撲しにくくする。
大腿直筋の強化によって階段登りなど日常生活の歩行行為などを楽に行うことができる。また、アキレス腱の伸ばしにも対応できる。
【課題を解決するための手段】
【０００４】２に足をのせ、ふくらはぎを１にあて支点とし、上体を後ろに反る。
その傾き加減により大腿直筋、腹直筋、外腹斜筋、大胸筋、胸鎖乳突筋への負荷が自分で調整できる。なお、後ろに傾倒しても倒れない構造になっている。３に足を乗せ１によしかかるとアキレス腱伸ばしになる。
【図面の簡単な説明】
【図１】本発明の俯瞰図
【図２】本発明の、筋力強化台としての使用方法
【図３】（サイド）テーブル・腰掛け・台としての使い方
【符号の説明】
１  ふくらはぎをあてる部分
２  足を乗せる（立つ）部分
３  アキレス腱伸ばしの際に足を乗せる（立つ）部分
４  １・２・３を支える壁面かつ、台としての天面もしくは底面
【図１】
2006021008.tif 000003
【図２】
2006021008.tif 000004
【図３】
2006021008.tif 000005
(57)【要約】      （修正有）【課題】  自動車のガソリン給油が安全に終了し  かつ各作業を初心者でも安全に終了し運行しようとするものである  キャップの閉め忘れは次回の給油まで気が付かず  火災等の発生も出てくる危険もありそれを運転席にて確認しようとするものである。【解決手段】  ガソリン給油口にアタッチセンサー（2）を取り付けキャップ(1)が正確にされているか確認するための装置である【選択図】  図１
2006062628.tif 000002
【特許請求の範囲】
【請求項１】
自動車のガソリンキャップにセンサーを取り付けて給油口を管理し、キャップが緩んでいたりされていない時には  警告ランプの点灯、音等を発生しエンジンを始動しないようにする装置である
【発明の詳細な説明】
【発明の詳細な説明】
【０００１】  本発明、は最近のガソリン給油所におけるセルフ給油所にて初心者でも作業が行え  給油方法にガソリンの給油後のキャップのし忘れが多々あり、次回給油まで気が付かないケースが多く非常に危険で火災等の発生も心配されるので開発されたものである  給油後エンジンキーを差し込めば運転席にて確認できる装置である
【０００２】  従来は、資格を習得した管理者の下、従業員が管理しキャップの忘れ等の発生はなかった  しかし今はセルフスタンドも増えて初心者でも簡単に給油できるしかも今は１度給油扉を閉めてしまうとまったく確認できない  次回の給油まで気が付かないで運行してしまう  給油時に始めて気が付くことになる
【０００３】  本発明は、初心者でも安心して給油し運転して貰う為にキャップにセンサーを取り付けて給油後のキャップのし忘れの無い様、警告音ランプ等で知らせ始動時にエンジンキーを差し込み回転させようとした時に、音とランプでドライバーに知らせ、給油口の点検をキャップを確認し、安全な管理で走行するように考えられた装置である
【０００４】  本発明は車のガソリンキャップが正常な状態で使用されていることを図１−４のセンサーアタッチによりキャッチしキャップがされているときは本体図１−２に入り込み正常な運転を行い図２の様にキャップが外れているときは  エンジンキーを回転させても  ４のアタッチが６矢印方向に上下に作動し電流が流れているため警告音とランプで知らせ  エンジンの始動させないようにするための装置である
【図面の簡単な説明】
【０００５】
【図１】  キャップが正常にされている状態
【図２】  キャップが無い状態  １  キャップ  ２  キャップセンサー本体  ３  ガソリンタンク  ４  センサーアタッチ  ５  給油口
【図１】
2006062628.tif 000003
【図２】
2006062628.tif 000004
(57)【要約】      （修正有）【課題】衝突時の衝撃においても、車両等のフロント及びドアウィンドウ等を割る器具が行方不明にならないガラス割り器具を提供する。【解決手段】従来のシートベルトの凸金具とハンマー様器具を一体化させることによりガラス割りシートベルトとする。硬質の先端部には平常時安全キャップを付け緊急時、間違い予防のため左右に硬質先端部を有し安全のため外側はやさしい素材、内側は、一撃で壊れるように二重構造の外れないキャップを付ける。【選択図】図３
2006062629.tif 000002
【特許請求の範囲】
【請求項１】
速やかに車両のフロント及びドアウインドウ等を割る機能を有するガラス割りシートベルト。
【請求項２】
従来のシートベルトに請求項１の機能を一体化できる取付型ハンマー様器具。
【発明の詳細な説明】
【発明の詳細な説明】
【０００１】  ［発明の属する技術分野］
本発明は、車両等のフロント及びドアウィンドウ等を割るガラス割りシートベルトに隣するものである。
【０００２】  ［従来の技術］
決定的な物は、皆無に等しいが車内に設置するハンマー様な物が、若干知られている。
【０００３】  ［発明が解決しようとする課題］
しかし設置式なので衝突時等の衝撃により従来の器具は行方不明になったり取り出しにくかったり使用できない状態に至る事が多く、車両外へ脱出できずに、車両内での水死、焼死が相次いでいる。
【０００４】  ［課題を解決するための手段］
本発明は、硬質なハンマー様器具とシートベルトを一体化する事により衝突時でも器具の行方不明を解消し上記課題を解決するものである。
【０００５】  ［実施例］
本発明の、請求項１のガラス割りシートベルトは、図１で示すように従来のシートベルトの凸部金具と硬質な先端部を持つハンマー様器具を一体化したものである。
【０００６】  本発明請求項２のガラス割りシートベルトは、図３で示すように従来のシートベルトの凸部金具に硬質な先端部を持つハンマー様器具を一体化させる取付型である。
【０００７】  ［発明の効果］
器具を一体化させることにより衝突時の衝撃においても器具が行方不明にならずシートベルトを外す動作と連続してフロント及びドアウインドウ等を割り速やかな車両外脱出が可能になり車両ごと入水し水圧でドアが開かないとき又、衝突などでドアが開かなくなり火災が発生しても最悪の事態は免れる。
【図面の簡単な説明】［図１］本発明請求項１に係わるシートベルトと硬質な先端部に安全キャップ付ハンマー様器具を一体化したガラス割りシートベルト金具の構成を示す外観図である。
［図２］本発明請求項１に係わるシートベルトと硬質な先端部に安全キャップ付ハンマー様器具を一体化したガラス割りシートベルト金具の構成を示す立面図である。
［図３］本発明請求項２に係わる従来のシートベルトと硬質な先端部に安全キャップ付ハンマー様器具を一体化させる取付型ガラス割りシートベルト金具の構成を示す分解図である。
［図４］本発明請求工２に係わる従来のシートベルトと硬質な先端部に安全キャップ付ハンマー様器具を一体化させる取付型ガラス割りシートベルト金具の構成を示す外観図である。
【図１】
2006062629.tif 000003
【図２】
2006062629.tif 000004
【図３】
2006062629.tif 000005
【図４】
2006062629.tif 000006
(57)【要約】【課題】プールにバランスの悪い船を浮かべてその船を揺らし船が傾く時の船の重さを利用して発電気を回し発電する装置【解決手段】プール７にバランスの悪い船１を浮かべ油圧ジャッキ９を動かし平板１０で波を起こしバランスの悪い船１を揺らす、船が傾くと発電気を取り付けたアーム２が下がる、すると歯車１２が縦に歯の付いた角棒にそって回転し歯車１３を回す、歯車１３で発電気１７を回し発電する、傾いて下がったアーム２が上がると歯車１２と歯車１５を切り変えるゴム性の車１８の回転が逆になるすると歯車１２が縦に歯の付いた角棒３から離れて、歯車１５が縦に歯の付いた角棒３に付き逆に回転するそれを直すため歯車１４を取り付ける、これにより発電気を取り付けたアーム２が下がっても上がっても発電気を回す歯車１３は同じ方向で回転し発電気１７を回し発電する【選択図】図１
2006062630.tif 000002
【特許請求の範囲】
【請求項１】
プールにバランスの悪い船を浮かべて、平板の付いた油圧ジャッキで波を起こし船を揺らす、船が揺れて傾くと発電気を取り付けたアームが下がりワイヤーで釣り下げている縦に歯の付いた角棒にそって歯車が回転し発電気が回る、発電気を取り付けたアームが上に上がるときは一コ歯車を多くした方が縦に歯の付いた角棒にそって回転して行くので発電気は下がる時も上がる時も同じ回転をする
【発明の詳細な説明】
【技術分野】
【０００１】  本発明はバランスの悪い船を波で揺らし船が傾く時の重さを利用して発電する装置に関するものである
【背景技術】
【０００２】  化石燃料を使った発電装置、風力発電装置自然エネルギーを使っ発電装置など
【発明の開示】
【発明が解決しようとする課題】
【０００３】  解決しようとする問題点は少ない料の燃料を使って波を起こしバランスの悪い船を揺らし大きなエネルギーを得るため
【発明の効果】
【０００４】  本発明の発電装置はバランスの悪い船を揺らして発電気を回すため船は大きくて重たければ重いほど発電気を回す力は大きくなる
【発明を実施するための最良の形態】
【０００５】  本発明により数多くある発電装置のひとつに重さをエネルギーに変える発電装置を提供する事が可能になった
【実施例１】
【０００６】  図１は、本発明装置を全体的に表わした説明図である【０００７】  プール７にバランスの悪い船１を浮かべる．バランスを悪くするため船の重心を水面近くにし、又船の中にバランスを悪くする水タンク１１を取り付ける船１が右に傾いたらタンク１１の水も右側に集まる用にする、船１が左に傾いたらタンク１１の水も左側に集まる用にする【０００８】  バランスの悪い船１に発電気を取り付けたアーム２を取り付ける、アーム２が下に下がると、縦に歯の付いた角棒３にそって発電気が入っている箱４も下がって来る【０００９】  発電気の入っている箱４が下がると中に入っている歯車１２が縦に歯の付いた角棒にくっついて回転する、歯車１２が回転すると歯車１３が回り発電気１７を回す、箱４が上がると歯車を切り変える車１８の回転が逆になり歯車１２が縦に歯の付いた角棒３から離れ歯車１５が縦に歯の付いた角棒３にくっつき歯車１５が回転する、発電気１７の回転を同じ方行にするため歯車１４を取り付ける
【産業上の利用可能性】
【００１０】  数多くある発電装置の中に本発明も発電装置のひとつとして電気を提供する事が出来る
【図面の簡単な説明】
【００１１】
【図１】発電装置の全体的な説明図である
【図２】発電気を入れた箱とその回りを上から見た図である
【図３】縦に歯の付いた角棒と発電気を回す歯車を表わした図である
【図４】船と船を揺らす油圧ジャッキを表わした図である
【図５】船のバランスを悪くするための水タンクの断面図である
【図６】発電気を回す歯車の切り変えを表わした説明図である
【符号の説明】
【００１２】１バランスの悪い船
２発電気を取り付けたアーム
３縦に歯の付いた角棒
４発電気が入っている箱
５角棒をぶらさげる柱
６ワイヤー
７プール
８プールのカベ
９油圧ジャッキ
１０波を起こす平板
１１バランスを悪くする水タンク
１２歯車
１３歯車
１４歯車
１５歯車
１６歯車を固定する部材
１７発電気
１８歯車を切り変えるゴム性の車
【図１】
2006062630.tif 000003
【図２】
2006062630.tif 000004
【図３】
2006062630.tif 000005
【図４】
2006062630.tif 000006
【図５】
2006062630.tif 000007
【図６】
2006062630.tif 000008
(57)【要約】【課題】  電気製品に囲まれた現代社会ではいろんなリモコンが各部屋にあり、外出から帰ると携帯電話を適当な所に置く、高齢者の家では老眼鏡を使う人が多い。時にはこれらのものを探し回るこという問題がある。又、高齢化社会では薬を飲んでいる人が極めて多く、薬の収納に気を遣っていると言う問題もある。居間や卓上には新聞、ティッシュペーパー、リモコン、携帯電話，老眼鏡など身の回りの小物が散在しているので、これらを一纏めに収納し、整理整頓と物忘れ防止を解決しようとするのが課題である。【解決手段】  ティッシュペーパーを中央に配し、その両サイドにリモコン、携帯電話、老眼鏡等を収納するラックを設け、背面に当日の新聞が入るラックを設け、前面下部には薬を初め装身具、小物化粧品等々いろんな小物が収納できる複数の小引き出しを取り付ける。移動にも便利な持ち手を取り付け、インテリア性の高い多機能のティッシュケースとする。【選択図】  図１
2006062671.tif 000002
【特許請求の範囲】
【請求項１】
居間や卓上に点在する新聞、リモコン、老眼鏡、携帯電話、電気剃刀、薬、封書、筆記具、その他身の回りの小物とティッシユペーパーを一纏めに収納するティッシュケースで、複数のラックと複数の小引き出しから構成し、前面には鏡を取り付け、ミニ鏡台の役割も果たし、移動にも便利な持ち手を取り付けている多機能ティッシュケース。
【発明の詳細な説明】
【技術分野】
【０００１】
本発明は、ティッシュペーパー、新聞、リモコン、携帯電話、老眼鏡等が部屋の中や卓上に点在しているのが一般的であり、時には何処に置いたか忘れ、探し回らなくてはならないという問題もあり、又、高齢化が加速する現代、食事毎に薬を服用する人々が極めて多く、薬の収納に気を遣うと言う問題がある。これらの問題を解決し、身の回りの小物用品を一纏めに収納するティッシュケースで小物の整理整頓と物忘れ防止に役立つ家庭用品に関するものである。
【背景技術】
【０００２】
従来からあるティッシュケースはインテリア性を持たせることを目的とし、袋状のカバーや木箱等でティッシュを包み込むという単一機能しか持たない。居間やダイニングルームには必ずと言って良い程ティッシュペーパーが置かれ、新聞やリモコン、携帯電話、薬、老眼鏡等々が点在している。一纏めに収納することでこれらの置き場を定め、整理整頓してくれる家庭用品が見当たらない。
【特許文献１】実用新案公開平５−１８３９４
【発明の開示】
【発明が解決しようとする課題】
【０００３】
一般家庭の居間やダイニングルームには、ティッシュペーパー、当日の新聞、携帯電話、老眼鏡、リモコン等が点在し、時には探し回ることもある。又、生涯薬と付合わなくてはならない人々は病院から貰ってきた大きな薬袋の置き場や収納にはかなりの配慮をしている。又、お出かけ前にはわざわざ鏡のある所まで行き、お化粧直しや身だしなみのチェックをすることが日常茶飯事である。本発明はこのような不便を解決し、何時も決まった場所に、身の回りの小物を一纏めに収納し、ミニ鏡台の役割も持たせ、居間や卓上をすっきりと整理整頓し、物忘れ防止に貢献することが課題である。
【課題を解決するための手段】
【０００４】
携帯電話、リモコン、電気剃刀、老眼鏡等の収納用として両サイドにラックを取り付け、背面には新聞や週刊誌、封書や葉書等が収納できるラックを設ける。前面下部には複数の小引き出しを設けて、薬や健康食品、小物化粧品、ネックレス、装身具、爪切り、毛抜き、等々の小物が収納でき、使う人の好みで使い分けるようにし、前面には小さな鏡を取り付けて、起せばそのままミニ鏡台としても利用でき、持ち手を設けて移動にも便利なようにする。
【発明の効果】
【０００５】
身の回りの小物が何時も決められた場所に収納されるので、携帯電話、老眼鏡やリモコンなどを探し回ることがなくなり、それまで点在していたものが一纏めに収納されるので居間や卓上の整理整頓が進む。殊に、小引き出しは生涯末永く薬と付き合わなくてはならない人には薬入れとして重宝される。外出前の男性にとってはネクタイの曲がりチェックに、女性にとっては、化粧直しやチェック等にミニ鏡台として利用できるなど、従来のティッシュケースの概念を超える全く新しい多くの機能を果たす大きな効果がある。
【発明を実施するための最良の形態】
【０００６】
ティッシュボックスを中央に配し、両サイドにリモコン、携帯電話、老眼鏡等を収納するラックを設け、背面には当日分の新聞が入るスペースのラックを設ける。持ち手を取り付けるもティッシュペーパの取り出しや空ケースの交換も容易な構造とし、前面下部には大きさの異なる複数の小引き出しを設けて若干大き目のものも収納できるようにする。前面には、小さな鏡を取り付け、通常は下側に倒しておき、使用する時にのみ起して使うようにし、ティッシュペーパーの取り出しに支障の無いようにする。
【実施例】
【０００７】
身の回り身の小物が１個のティッシュケースに纏められているので、居間や卓上がすっきりと整理整頓され、老眼鏡やリモコンを探し回ることもなくなり、殊に、小引き出しには薬を収納すると本当に便利と高齢者からは極めて高い評価が聞かれる。又、背面の新聞ラックには何時も今日の新聞が入っているので新聞を探す労もなく直ぐに手にすることができる。ミニ鏡台としての利用価値も大きく、ティッシユペーパーの取り出しも極めて順調である。
【産業上の利用可能性】
【０００８】
従来のティッシュケースはインテリア性を重視し、単に包み込むという単一機能しかない。従来の概念を超える全く新しいタイプのものであり、何でもリモコン化する電化生活と少子高齢化社会にマッチした新しい生活用品としての利用価値は大きい。
【図面の簡単な説明】
【０００９】
【図１】多機能ティッシュケースを示した図である。
【符号の説明】
【００１０】
１    ティッシュペーパー取り出し口
２    リモコン、携帯電話。老眼鏡等収納ラック
３    小引き出し
４    新聞、封書等収納ラック
５    鏡
６    持ち手
７    のせ蓋
【図１】
2006062671.tif 000003
(57)【要約】【課題】隙間なく詰められた缶の取り出しが容易なマルチパックを提供する。【解決手段】集積した缶を包み込むように周壁各面をなす側板１乃至４を連設し、側板１乃至４の端縁から延びるフラップ５，６を貼り合わせて端面を閉止する板紙製のマルチパックにおいて、開封時に天面となる側板１からその両側に隣接する側板２，４を経てこれに繋がるフラップ６の端縁まで切目線８，９，１０を入れ、フラップ６の切目線１０が端面中央側で深く切れ込むようにし、切目線１０をその中間の切始部１１から終端まで切断すると、コーナー部が三方の側面から端面にかけて開口し、その開口部が端面の中央側で深くなるようにする。【選択図】図３
2006062678.tif 000002
【特許請求の範囲】
【請求項１】
集積した缶を包み込むように周壁各面をなす側板を連設し、側板の端縁から延びるフラップを貼り合わせて端面を閉止する板紙製のマルチパックにおいて、開封時に天面となる側板からその両側に隣接する側板を経てこれに繋がるフラップの端縁まで切目線を入れ、フラップの切目線が端面中央側で深く切れ込むようにし、切目線をその中間の切始部から終端まで切断すると、コーナー部が開口するようにしたことを特徴とするコーナー開口式マルチパック。
【発明の詳細な説明】
【技術分野】
【０００１】
この発明は、飲料等の缶を複数本纏めて包装するマルチパックに関するものである。
【背景技術】
【０００２】
従来、ビール等の飲料缶の包装に使用する板紙製のマルチパックとして、下記特許文献１には、図４に示すようなものが記載されている。このマルチパックは、集積した複数本の缶Ｃを包み込むように側板５０，５１を角筒状に連設し、各側板５０，５１の端縁から延びるフラップ５２，５３を貼り合わせて端面を閉止することにより封緘される。
【０００３】
このマルチパックでは、天面となる側板５０からその両側に隣接する側板５１へＶ字状に切れ込んでコーナーへ至る切目線５４，５５が入れられ、切目線５４の中間部に形成された弧状の切始部５６付近を押し込んで、切目線５４，５５を終端まで切断すると、天面の端部が開口して缶Ｃを取り出せるようになっている。
【０００４】
【特許文献１】米国特許第３２６５２８３号明細書
【発明の開示】
【発明が解決しようとする課題】
【０００５】
しかしながら、上記のようなマルチパックでは、天面の開口部から缶Ｃを取り出す際、缶Ｃの両端を掴んで、缶Ｃを真上に持ち上げなければならず、また、底側に収納された缶Ｃを取り出しにくいという問題があった。
【０００６】
そこで、この発明は、隙間なく詰められた缶の取り出しが容易なマルチパックを提供することを課題とする。
【課題を解決するための手段】
【０００７】
上記課題を解決するため、この発明は、集積した缶を包み込むように周壁各面をなす側板を連設し、側板の端縁から延びるフラップを貼り合わせて端面を閉止する板紙製のマルチパックにおいて、開封時に天面となる側板からその両側に隣接する側板を経てこれに繋がるフラップの端縁まで切目線を入れ、フラップの切目線が端面中央側で深く切れ込むようにし、切目線をその中間の切始部から終端まで切断すると、コーナー部が開口するようにしたのである。
【発明の効果】
【０００８】
このマルチパックでは、切目線の切断に伴い、コーナー部が三方の側面から端面にかけて開口し、その開口部が端面の中央側で深くなるので、収納された缶の飛び出しを防止しつつ、缶を端面から引き出すようにして容易に取り出すことができ、底側に収納された缶も容易に取り出すことができる。
【発明を実施するための最良の形態】
【０００９】
以下、この発明の実施形態を添付図面に基づいて説明する。
【００１０】
このマルチパックは、８本の飲料缶を上下２段に収納して包装するものであり、図１に示す板紙製のブランクから形成される。このブランクでは、順次繋がる側板１，２，３の両側に側板４が連設され、側板１，３の端縁にはフラップ５が、側板２，４の端縁にはフラップ６がそれぞれ連設されている。各側板４の中央部分には、長円形の切目線を入れて把手穴７が形成され、側板４の幅は、側板２の幅の半分よりもやや大きくなっている。
【００１１】
側板１の端部には、一方のフラップ５との境界から間隔をおいて全幅に亘る切目線８が入れられ、その両側の側板２，４には、切目線８の両端からフラップ６へかけて屈曲した切目線９が入れられている。また、フラップ６には、包装状態で切目線９の終端から端縁へ至る切目線１０が入れられている。
【００１２】
切目線８の中央部には、側板１をコ字状に切り込んで切始部１１が設けられ、その内側が舌片状になっている。他方のフラップ５の先端中央部には凹部１２が、組立時に下側に重なるフラップ６の切目線１０にはスリット状の切込１３がそれぞれ形成され、凹部１２及び切込１３は、包装状態で切目線１０に沿うようになっている。
【００１３】
このようなブランクを組み立てて、図２に示すように、缶Ｃを包装するには、缶Ｃを包み込むように側板１乃至４を折り曲げて周壁をなし、側板４及びフラップ６の重合部同士を貼り合わせ、フラップ５，６を順次内側へ折り曲げて貼り合わせる。この包装状態において、側板４を天面にすると、把手穴７に指を入れて持ち運ぶことができる。
【００１４】
一方、このマルチパックを開封する際には、図３に示すように、側板１を天面にして、切始部１１に臨む舌片状部分を押し込み、生じた隙間に指を入れ、切目線８，９，１０を終端まで切断し、コーナー部を除去する。
【００１５】
このように開封すると、コーナー部が三方の側面から端面にかけて開口し、その開口部が端面の中央側で深くなるので、上段側に収納された缶Ｃの飛び出しをフラップ６の残存部で防止しつつ、缶Ｃを端面から引き出すようにして容易に取り出すことができ、底側に収納された缶Ｃも容易に取り出すことができる。
【図面の簡単な説明】
【００１６】
【図１】この発明の実施形態に係るマルチパックのブランクを示す図
【図２】同上の包装状態を示す斜視図
【図３】同上の開封状態を示す斜視図
【図４】従来のマルチパックの開封状態を示す斜視図
【符号の説明】
【００１７】
１乃至４  側板
５，６  フラップ
７  把手穴
８，９，１０  切目線
１１  切始部
１２  凹部
１３  切込
【図１】
2006062678.tif 000003
【図２】
2006062678.tif 000004
【図３】
2006062678.tif 000005
【図４】
2006062678.tif 000006
(57)【要約】【課題】従来木材が乾燥時期に発生するねじれ、曲がり、割れ等の変形を防止する装置がなかった。そこで本発明のプレス装置を使用し木材の変形を防止し課題を解決する。【解決手段】本発明のプレス装置は、乾燥時期木材がねじれ、曲がり、割れ等の変形を起こす力をプレス装置によって木材の全周を強固に圧縮し固めて阻止することが出来、このことによって本発明のプレス装置は木材の変形を防止することが出来る。【選択図】図１
2006062340.tif 000002
【特許請求の範囲】
【請求項１】
木材（１）を自然乾燥や人口乾燥を行なう前に木材（１）の全周を強固に圧縮し固めるプレス装置。
【請求項２】
プレス装置の押し板（９）と押し板（１２）の間に取り付けられたバネ（１１）の反発力で木材の全周を強固に圧縮し固める装置。
【請求項３】
２方向からの圧縮だけでなく３方向、４方向の圧縮の装置。その圧縮の手段は、手動、油圧、モーターによる電動の装置。
【発明の詳細な説明】
【技術分野】本発明は、木材の乾燥時期に発生するねじれ、曲がり、割れ等の変形を防止するプレス装置に関する。
【背景技術】従来木材の乾燥方法は、製材した木材をそのまま桟積みし自然乾燥や、又人口乾燥の二種類の方法で行われている。しかし木材を桟積みをしただけの乾燥は、乾燥時期木材のねじれ、曲がり、割れ等の変形が発生して商品価値が低下し安定した木材の供給が出来ないという問題点がある。
【発明が解決しようとする課題】
しかし従来この問題を解決する装置がなかった。そこで本発明は、乾燥時期に発生する木材の変形をプレス装置によって防止することを課題とする。
【課題を解決するための手段】
木材の乾燥が進むと内部の水分が抜け出し木材が収縮してしまう。この時木材はねじれ、曲がり、割れ等の変形を起こしてしまう。人口乾燥の用に高温で短期間に乾燥させてしまう方法は木材の変形が大きくなる。この課題を解決するため本発明の請求項１記載のプレス装置は、木材を乾燥させる前に図１に示すように木材の全周をプレス装置で強固に圧縮し固め、乾燥時期木材を変形させるねじれ、曲がり、割れを起こす力を強固に押さえてしまい、乾燥時期木材が変形することを防止するものである。。本発明の請求項２記載のバネ（１１）は、図１に示すように押し板（９）と押し板（１２）の間に取り付けられたバネ（１１）、このバネ（１１）の反発力の作用で木材を強固に圧縮し固める。木材の乾燥が進むと徐々に木材内部の水分が抜け出し木材が収縮してしまう、そうするとプレス装置で全周を圧縮して固めた木材間にすき間が出来る。この状態では、従来の乾燥と同じく木材が変形してしまうことになる。そこで請求項２のバネ（１１）の反発力が収縮した木材（１）を添え板（３）、（４）、桟（５）を圧縮し木材（１）の全周を再度圧縮し強固に固める。この結果木材（１）の変形を防止するものである。本発明の請求項３に記載されるプレス装置の圧縮方法は、２方向からだけでなく３方向、４方向のからの圧縮が可能で、その圧縮の手段として手動の他に油圧、モーターによる電動の装置も出来る。
【発明の効果】
本発明のプレス装置を使用し、木材全周を強固に圧縮し固めて一体となったプレス装置を自然乾燥による乾燥や人口乾燥機内に入れ乾燥を行なっても従来の用に木材が変形を起こすことなく安定した木材の供給が出来る。
【発明を実施するための最良の形態】以下、本発明の実施の形態を図面に基づいて説明する。だだし以下に示す実施の形態は、本発明の技術思想を具体化するために木材とプレス装置の形態を示したもので木材の本数、プレス装置の大きさに特定しない。たとえば木材１本を対象とした本発明のプレス装置も出来る。図１に、本発明を実施したプレス装置の斜視図を示す。木材（１）をプレス装置底板（２）に添え板（４）、木材（１）、桟（５）の順に横上に並べに最後に添え板（４）及び添え板（３）をのせてレバー（７）を廻しボルト（８）を枠（６）内をねじ込み通して押し板（９）、バネ（１１）、押し板（１２）、添え板（３）、（４）、桟（５）の順に圧縮し木材（１）の全周を強固に圧縮し固める。
【実施例】本発明は、木材の乾燥時期に起きるねじれ、曲がり、割れ等の変形を防止するため使用するプレス装置に関する。
【産業上の利用可能性】本発明は、木材の変形を防止し品質を向上させ安定した木材を格安で提供出来、産業上の利用性がある。
【図面の簡単な説明】
【図１】本発明の実施例にかかる斜視図
【符号の説明】
１・・・木材
２・・・底板（すのこ状）
３・・・添え板（すのこ状）
４・・・添え板（すのこ状）
５・・・桟（すのこ状）
６・・・枠（ねじ付き）
７・・・レバー
８・・・ボルト
９・・・押し板
１０・・・枠と底板取外し可能な接合
１１・・・バネ
１２・・・押し板
【図１】
2006062340.tif 000003
(57)【要約】【課題】    木材の圧縮加工方法において、圧縮木材を乾燥した状態で取り出すことを目的としている。【解決手段】    圧力容器内において、木材を高温蒸気（１００℃〜１７０℃）下で幅方向を拘束した木材を繊維方向と直角方向に圧縮プレスし、固定状態のままで、高温蒸気を脱気し直ちに減圧に切り替え、圧力容器内に冷却水を入れることなく余熱と減圧を利用して木材を乾燥させ圧力容器の温度が４０℃以下になってから取り出す。【選択図】    図１
2006062334.tif 000002
【特許請求の範囲】
【請求項１】
木材を圧力容器内に入れ水蒸気加熱処理により軟化させるとともにプレス手段により圧縮し、圧縮状態のままで減圧処理し水蒸気加熱の余熱と減圧により木材を乾燥させることを特徴とする木材の圧縮加工方法。
【請求項２】
前記の水蒸気加熱処理において、処理温度は１００℃〜１７０℃とすることを特徴とする請求項１に記載の木材の圧縮加工方法。
【請求項３】
前記のプレス手段は機械式の圧縮装置で幅方向を拘束しながら木材の繊維方向に対して直角方向に圧縮することを特徴とする請求項１または２に記載の木材の圧縮加工方法。
【請求項４】
前記の減圧処理において加熱水蒸気の供給を止め圧力容器内の水蒸気を脱気、さらに積極的な減圧をすることで木材の水分を除去することを特徴とする請求項１から３までのいずれかの項に記載の木材圧縮加工方法。
【請求項５】
前記の木材の乾燥において水蒸気加熱で温められた木材を減圧気圧空間に置くことで木材水分除去を促進させることを特徴とする請求項１から４までのいずれかの項に記載の木材の圧縮加工方法。
【請求項６】
圧縮した木材を気乾状態以下に乾燥させることで寸法安定性を向上させることを特徴とする請求項１から５いずれかの項に記載の木材の圧縮加工方法。
【発明の詳細な説明】
【技術分野】
【０００１】  本発明は木材の圧縮加工方法に関する。
【背景技術】
【０００２】  針葉樹などの木材に水蒸気などの水分を供給したうえで熱プレス加工することで、この木材を繊維と直角な方向に圧縮させ、それによって表面性能を改善する試みがなされている。しかし、このように普通に水熱圧縮処理を行っただけでは、その後に水分と熱が作用すると木材の厚みが元の状態に回復してしまうことが知られている。【０００３】  最近、このような元の状態への回復を阻止して、圧縮した木材を圧縮変形状態に永久固定する手段が開発されている。すなわち、１８０℃程度以上の温度で熱プレス加工をする際に木材の周辺を密閉し、木材に含まれる水分をその木材中に閉じ込めたうえで高温高圧で水熱処理すると、顕著な回復抑制効果が現れて、もはや元の厚みに戻らないことが確認されている。
【特許文献１】特開平８−９０５１６号広報
【発明の開示】
【発明が解決しようとする課題】
【０００４】  ところが、このように高温高圧で水熱処理された木材を、処理後に直ちに熱プレス機から取り出すと、木材中に含まれていた高温高圧の水蒸気の作用によって、この木材の表面にパンクと呼ばれるふくらみが発生しやすい。【０００５】  このため従来は、このような膨らみの発生を防止するために、水熱処理後にプレス状態を維持したまま熱プレス機を水冷するなどして、この熱プレス機とともに圧縮木材をたとえば６０℃程度まで冷却し、その後に取り出しを行っている。【０００６】  しかし、冷却水で熱プレス機を冷却して取り出した場合、圧縮木材の含水率はいまだに高く、圧縮木材を使用するにはさらに乾燥の工程が必要である。【０００７】そこで本発明はこのようは問題を解決し、冷却水を用いることなく、圧縮木材を乾燥した状態で取り出すことを目的としている。
【課題を解決するための手段】
【０００８】  この目的を達成するため本発明は、圧力容器内において木材を高温蒸気（１００℃〜１７０℃）下で幅方向を拘束した木材を繊維方向と直角方向に圧縮プレスし、固定状態のままで高温蒸気を脱気し直ちに減圧に切り替え、圧力容器内に冷却水を入れることなく余熱と減圧を利用して木材を乾燥させ圧力容器の温度が４０℃以下になってから圧縮木材を取り出す。【０００９】  このようにすれば、圧縮加工された木材が乾燥状態で取り出され、従来の乾燥工程が省略できる。圧力容器内を真空にするため圧縮木材からの水分移動も速やかに行われ、しかも蒸気加熱の余熱を利用できる。冷却も自然に冷ますことでも十分である。【００１０】乾燥が不十分な場合は圧縮木材の加熱装置、あるいは圧力容器内の水蒸気を水に換えるラジエーター装置を追加する。
【発明の効果】
【００１１】  本発明では、以下に示すような効果がある。【００１２】  １７０℃以下の温度での圧縮処理であるため木材繊維の損傷が少ない。【００１３】  圧縮状態で減圧し木材水分を除去するので寸法安定化が図れる。【００１４】  圧力容器から取り出した圧縮木材は乾燥工程が省略できる。【００１５】  圧縮率の調整（圧縮率０％もある）により圧縮木材の比重が調整できる。
【発明を実施するための最良の形態】
【００１６】  以下、本発明の実施の形態について、実施例の図面を用いて説明する。【００１７】  図１は、本発明の木材の圧縮加工方法を示すフロー図である。本発明はリュウキュウマツ材１を幅拘束の金型にセットし金型ごと圧力容器６内に入れる。【００１８】  圧力容器の蓋のしまりをよくするためと水蒸気加熱２の蒸気がリュウキュウマツ１に浸透しやすくするため５分程度の真空にする。【００１９】  前記終了後、１３０℃に６０分水蒸気加熱２を行う。【００２０】  １３０℃の水蒸気加熱２の状態を保ちつつ、木材圧縮３を１ｍｍ圧縮し１８０秒待って、さらに１ｍｍ圧縮の繰り返しで１ｍｍ／１８０秒程度の速度で所定の圧縮率までリュウキュウマツ１を圧縮する。【００２１】  圧縮３終了後所定の圧縮率の状態で水蒸気加熱２も１３０℃を維持したまま３０分間保つ。【００２２】  所定の圧縮率の状態を維持したまま、水蒸気加熱２はストップし、直ちに脱気、真空減圧４する。【００２３】  圧縮の固定と真空を６０分間維持しした後、真空ポンプのスイッチはオフにし、自然放置圧力容器を冷却する。【００２４】  圧縮木材を１週間以上の養生期間を置いて三線の竿（カラクイ他三線グッズも含む）に加工する。【００２６】  圧縮木材（圧縮率０％も含む）で製作された三線竿は、木材比重の調整が可能であり、重さや音色等と関連して好みのものができる。【００２７】  本発明の圧縮木材三線竿は木材樹脂のべとつきがなく、カラクイと呼ばれる絃掛けとの摩擦もよく、弦の張り調整がしやすい。【００２８】  本発明の圧縮木材の色調も蒸気加熱温度や処理時間により調整でき、高級感のある色調になる。【００２９】  従来が黒のエナメル塗装の三線竿がほとんどであったが、木目を生かした透明塗装も可能である。
【図面の簡単な説明】
【００３０】
【図１】本発明の木材の圧縮加工方法を示すフロー図である。
【符号の説明】
【００３１】１  リュウキュウマツ（木材）
２  水蒸気加熱処理
３  圧縮処理
４  真空処理
５  三線製作
６  圧力容器
【図１】
2006062334.tif 000003
(57)【要約】【課題】  溶融時の粘度が低い油添熱可塑性エラストマー材料を、英式バルブを有するタイヤチューブに注入する際、エラストマージェルを漏れなく、容易に安定して注入可能なバルブを提供することである。【解決手段】  英式バルブのプランジャに代替する、英式バルブ及びプランジャのテーパー部と同一のテーパーを、先端に有するバルブ付きノズルのパイプを、英式バルブのテーパー部に押し付けることにより、漏れなく、容易に安定して注入することを可能とする。【選択図】  図２
2006062338.tif 000002
【特許請求の範囲】
【請求項１】
油添熱可塑性エラストマー材料を英式バルブを有するタイヤチューブに注入可能とするノズル
【発明の詳細な説明】
【技術分野】
【０００１】  本発明は、油添熱可塑性エラストマー材料を、英式バルブを有するタイヤチューブに注入可能とするノズルに関する。
【背景技術】
【０００２】  ＪＩＳＤ９４２２に規定される英式バルブ（形式ＶＥ）は、ボデー（形式ＢＥ）外周部に２ヶ所のＤカットがあり、また、Ｄカット上部２ヶ所に切り欠きがついているため、特許文献１で提案される油添熱可塑性エラストマー材料（以下、エラストマージェルという）を１４０℃以上の高温で溶融し、注入する際、柔軟材のホース状のものを英式バルブに被せ、外径部をバンドでクランプしたものでは、ホースの形状を変更したり、硬度を変更しても、英式バルブ外周部ＪＩＳＤ９４２２に規定されるとホースの隙間からのエラストマージェルの漏れの問題を解決出来なかった。【０００３】
【特許文献１】  ＭＥＸ２００３−１０（特許出願番号）
【発明の開示】
【発明が解決しようとする課題】
【０００４】  溶融時の粘度が低い油添熱可塑性エラストマー材料を、英式バルブを有するタイヤチューブに注入する際、エラストマージェルを漏れなく、容易に安定して注入可能なバルブを提供することである。
【課題を解決させるための手段】
【０００５】  本発明は、ＪＩＳ９４２２で規定される英式バルブ（形式ＶＥ）のプランジャ（形式ＰＥ）に代替する、英式バルブ及びプランジャのテーパー部と同一のテーパーを、先端に有するバルブ付きノズルのパイプを、英式バルブのテーパー部に押し付けることにより、漏れなく、容易に安定して注入することを可能とする。
【０００６】  パイプは、プランジャ同様にトップナットでバルブボデーに取り付ける構造とするため、トップナットの内径よりも小さいストッパーリング、ストッパーリングと同等の機能を有するストッパーを有する。
【０００７】  ストッパーリングは、パイプにリング状のものをロウ付けや溶接しても良いし、旋盤でパイプの外周を加工しても良い。
【０００８】  トップナットはＪＩＳ９４２２で規定されるトップナット（形式ＴＥ）を流用しても良い。
【０００９】  パイプはエラストマージェルの流入を止めるためのバルブ機能を有するバルブボデーに接続されており、バルブボデーはフレキシブルナットを有するジョイントを介して、エラストマージェル注入ホースに接続される。
【００１０】  パイプは、ステンレス、銅、アルミ等金属素材で作られるパイプとする。
【発明を実施するための最良の形態】
【００１１】  パイプの外径は英式バルブボデーへの挿入可能な範囲で出来るたけ大きなものとし、内径も強度が許す範囲で出来るだけ大きなものとし、エアラストマージェルの注入抵抗を小さくする。【００１２】  英式バルブボデーのテーパーとパイプ先端のテーパーは、エラストマージェルの漏れを防止するため、トップナットをねじ込むことにより圧力をかけ密着させる。【００１３】  トップナットとストッパーリング位置関係は、パイプテーパー部が英式バルブボデーテーパー部に十分に圧着出来るものとする。
【実施例】
【００１４】  以下、実施例を挙げて本発明を更に具体的に説明するが、本発明は、その要旨を超えない限り、これらの実施例に何ら制約されるものではない。【００１５】  図１に概略を示した装置にて、２６インチサイズの英式バルブタイヤチューブへ、溶融したエラストマージェル（１０）を注入した。【００１６】  ポンプは、手動ギア式ポンプ（６）を使用した。【００１７】  英式バルブのプランジャーを取り外し、今回考案したバルブのバルブ（１１）を開いた状態で、英式バルブにパイプ（１４）を挿入し、トップナット（１５）をねじ込むことにより、パイプのテーパー部（１７）を英式バルブのテーパー部に圧着させた。【００１８】  溶融したエラストマージェル（１０）の注入が完了した際、注入機バルブ（７）とバルブボデーのバルブ（１１）を閉じ、バルブボデー（１２）とエラストマージェル注入ホース（９）を、ジョイントのフレキシブルナット（８）を緩めて、分離させた。【００１９】  溶融したエラストマージェルが固化した後、トップナット（１５）を緩めて、パイプ（１４）と英式バルブを分離させ、注入作業を完了させた。【００２０】  注入した結果を図３に示す。【００２１】  今回提案したバルブで、エラストマージェルを漏れなく、容易に安定して注入可能なことが確認された。
【図面の簡単な説明】
【００２２】
【図１】  注入装置の概略図
【図２】  バルブの概略図
【図３】  注入結果
【符号の説明】
【００２３】１    内鍋
２    外鍋
３    オイル
４    温度調節機能付きヒーター
５    温度調節機能付き配管パイプ
６    温度調節機能付きポンプ
７    注入機バルブ
８    フレキシブルナット付きジョイント
９    温度調節機能付きエラストマージェル注入ホース
１０  エラストマージェル
１１  バルブ
１２  バルブボデー
１３  バルブボデー取り付けねじ
１４  パイプ
１５  トップナット
１６  ストッパーリング
１７  パイプテーパー部
【図１】
2006062338.tif 000003
【図２】
2006062338.tif 000004
【図３】
2006062338.tif 000005